(57)【要約】【課題】      ルア−を早く引いてもゆっくり泳動するルア−を提供することである。【解決手段】  ルア−本体１の魚等の頭部を模した前方側１ａの上方に揺動板２がルア−本体１に固定されたリング状の揺動板取り付け部３で揺動自在に取り付けられて形成され、揺動板２の動きに連動してルア−本体１が泳動するようになっている。  揺動板２は、アルミニウム、チタン、ステンレス等の金属などルア−本体１の外殻体１ｂより比重の大きい材料で形成され、一端側２ａが自由端となっており、他端側２ｂの挿通孔２ｃに挿通されたリング状の取り付け部３でルア−本体１に揺動自在に取り付けられている。  揺動板２は抵抗面ｂの中央側に釣り糸連結部ｃを有し、係止具９を介して釣り糸８を連結できる。【選択図】        図１
2008167692.tif 000002
【特許請求の範囲】
【請求項１】
釣り糸連結部を有し水の抵抗で揺動する揺動板をルア−本体に揺動自在に取り付けたことを特徴とするルア−。
【請求項２】
釣り糸連結部は揺動板の水の抵抗面の中央側に設けたことを特徴とする請求項１記載のルア−。
【請求項３】
ルア−本体は揺動板の反転を防止する規制体を有していることを特徴とする請求項１または２記載のルア−。
【請求項４】
揺動板は、ルア−本体の上方の前方側に取り付けたことを特徴とする請求項１乃至３記載のルア−。
【請求項５】
ルア−本体は、揺動板より大きな重量を有していることを特徴とする請求項１乃至４記載のルア−。
【発明の詳細な説明】
【技術分野】
【０００１】
本発明は、魚釣りに用いるルア−に関する。
【背景技術】
【０００２】
従来からルア−を用いた釣りが盛んに行われている。
ルア−釣りは、釣り糸の先端に取り付けたルア−をキャスティングしてリ−ルで釣り糸を巻き取ることでルア−を回収し、この時のルア−の動きで魚を誘いルア−に食いつかせている。
ルア−の多くは、釣り糸を巻き取るときなどに水を受けて平打ちを繰り返すように振動しながら泳動するようになっており、このためルア−にはリップと呼ばれる抵抗板が取り付けられている。
特許文献１には、ルア−本体下方側前方にリップが固定されたルア−が記載されている。
このようなルア−はリップで受けた水の抵抗によりルア−が泳動するが、リップの動きがそのままルア−本体に伝達されるため動きが活発になる。
しかし、ルア−を早く引くに連れて激しく泳動し魚を脅かしてしまうことがあり、ルア−を早く引いたときの動きの制御が難しかった。
また、早く引いた時に泳動が激しくなるルア−は魚が食い損ねる虞があった。
【特許文献１】特開２００５−１８５２５７号公報
【発明の開示】
【発明が解決しようとする課題】
【０００３】
解決しようとする問題点は、ルア−本体にリップが固定されたルア−は、ルア−を早く引くに連れてその動きが激しくなり、泳動状態の制御が難しく魚を脅かしてしまうことがあることである。
【０００４】
本発明の目的は前記欠点に鑑み、ルア−を早く引いてもゆっくり泳動するルア−を提供することである。
【課題を解決するための手段】
【０００５】
本発明の請求項１は、釣り糸連結部を有し水の抵抗で揺動する揺動板をルア−本体に揺動自在に取り付けたことを要旨とするものである。
本発明の請求項２は、釣り糸連結部は揺動板の水の抵抗面の中央側に設けたことを要旨とするものである。
本発明の請求項３は、ルア−本体は揺動板の反転を防止する規制体を有していることを要旨とするものである。
本発明の請求項４は、揺動板は、ルア−本体の上方の前方側に取り付けたことを要旨とするものである。
本発明の請求項５は、ルア−本体は、揺動板より大きな重量を有していることを要旨とするものである。
【発明の効果】
【０００６】
本発明により、ルア−本体に揺動板を揺動自在に取り付けたので、揺動板の動きでルア−本体が泳動するようになり、早く引いてもルア−本体がゆっくり泳動し、魚を脅かすことが防止される。
【発明を実施するための最良の形態】
【０００７】
ルア−本体１の魚等の頭部を模した前方側１ａの上方に揺動板２がルア−本体１に固定されたリング状の揺動板取り付け部３で揺動自在に取り付けられ、揺動板２の動きに連動してルア−本体１が振動し、泳動するようになっている。
揺動板２は、アルミニウム、チタン、ステンレス等の金属などルア−本体１の外殻体１ｂより比重の大きい材料で形成され、一端側２ａが自由端となっており、他端側２ｂの挿通孔２ｃに挿通されたリング状の取り付け部３でルア−本体１に揺動自在に取り付けられている。
揺動板２は抵抗面ｂの中央側に釣り糸連結部ｃを有し、係止具９を介して釣り糸８を連結できる。
【実施例１】
【０００８】
以下、図示の実施例によって本発明を説明すると、図１は揺動板が断面で示されたルア−の側面図と一部拡大側面図、図２は頭部が断面で示されたルア−の断面正面面、図３は揺動板に連動したルア−本体の動きを示す要部拡大平面図である。
【０００９】
本願のルア−は、ルア−本体１の魚等の頭部を模した前方側１ａの上方に揺動板２がルア−本体１に固定されたリング状の揺動板取り付け部３で揺動自在に取り付けられて形成され、揺動板２の動きに連動してルア−本体１が左右に平打ちするように振動し、泳動するようになっている。
ルア−本体１は合成樹脂で形成された外殻体１ｂを有し、魚等の生き物に似せた形状をしており、左右の体側とその体側の前方側に目を有し、前後方向に長く、前方側１ａから後方側１ｃにかけて先細り状に形成されている。
ルア−本体１の内部ａは、中空状に形成されて前方側１ａにバランス調整用の重り４が取り付けられ、ルア−本体１は水の中で背１ｄと腹１ｅがそれぞれ上下になるように姿勢が保持され水に沈むように形成されている。
なお、ルア−本体１は、水に浮くように形成しても良い。
ルア−本体１の腹１ｅと後方側１ｃに夫々リング状の釣り針取り付け部５が固定されてリング６を介して釣針７が取り付けられている。
なお、重り４は、ルア−本体１の揺動板取り付け部３近傍の揺動板取り付け部３の下方側に設けられ、揺動板取り付け部３を中心とした慣性モメントを小さくして揺動板２の動きに連動してルア−本体１が泳動しやすくなっている。
【００１０】
揺動板２は、アルミニウム、チタン、ステンレス等の金属などルア−本体１の外殻体１ｂより比重の大きい材料で形成され、一端側２ａが自由端となっており、他端側２ｂの挿通孔２ｃに挿通されたリング状の取り付け部３でルア−本体１に揺動自在に取り付けられている。
揺動板２はルア−の前方に向いた抵抗面ｂの中央側に釣り糸連結部ｃを有している。
釣り糸連結部ｃは並設された２個の貫通孔２ｄ、２ｅからなり、両貫通孔２ｄ、２ｅに釣り糸８を挿通して結び止めるか、スナップやリング等の係止具９を貫通孔２ｄ、２ｅに挿通して係止し、これら係止具９を介して釣り糸８を連結できる。
また、揺動板２にラインアイを取り付けて釣り糸連結部を設けて釣り糸が取り付けできるようにしても良い。
揺動板２は、ルア−本体１の上方の前方側１ａにルア−本体１に取り付けたリング状の取り付け部３を介して揺動自在に取り付けられている。
ルア−本体１は揺動板２より重く形成し、キャスティングされた時に、ルア−本体１が先頭になって着水して釣り糸８に絡むことが防止されている。
【００１１】
ルア−本体１上方の前方側１ａ（頭部）にはルア−本体１と一体に形成した支持部１ｆが突出し、この支持部１ｆの前方側に支持されたリング状の取り付け部３が突出しており、支持部１ｆの前面が規制体Ａとなって揺動板２が後方側に倒伏しようとする途中で当接し後方に反転することを防止している。
揺動板２は一端側２ａが自由端となり、反対側の他端側２ｂにて厚み方向（前後方向）に貫通して設けた挿通孔２ｃに前記リング状の取り付け部３が差し込まれて遊嵌され水の抵抗面ｂが前方を向いて揺動自在に支持されている。
【００１２】
リング状の取り付け部３は挿通部（孔）がルア−本体１の左右側に向くように取り付けられており、挿通孔２ｃに挿通して揺動板２を取り付けると揺動板２が図１の２点鎖線のように前後方向に起伏するように配される。
この時、揺動板２の前方を向いた水の抵抗面ｂは前方側１ａが凹状に湾曲して水を受けやすくなっており、また、揺動板２は、リング状の取り付け部３がこれより大径の挿通孔２ｃに挿通されて遊びを設けて取り付けられて左右に揺動するが挿通孔２ｃの周辺がリング状取り付け部３に後方側に倒伏する途中で当接し、左右方向の反転が規制され、また、ルア−本体１と一体に形成した支持部１ｆに当接することで前後方向の反転が規制されており、抵抗面ｂが前方側１ａを向いた状態が維持されるようになっている。
【００１３】
このルア−を使用するときは、揺動板２に設けた釣り糸連結部ｃに釣り糸８を取り付けてキャスティングし、リ−ルで釣り糸８を巻き取ることでルアーを回収しながらルア−を泳動（左右に振動）させる。
釣り糸８によって揺動板２が引かれると釣り糸連結部ｃが水の抵抗面ｂの中央側に設けられているため揺動板２がその抵抗面ｂを正面側に向け自由端を上方にして立ち上がり、釣り糸連結部ｃを中心にして図２、図３の２点鎖線のように左右に揺動する。
この揺動板２の揺動によってその振動がルア−本体１に設けたリング状の取り付け部３を介してルア−本体１に伝達されることで揺動板２の揺動に連動してルア−本体１が図２、図３の２点鎖線のように左右に揺動し、泳動することとなる。
この時に、揺動板２が揺動しながらルア−本体１の取り付け部３や支持部１ｆに接触するためその振動が緩和されてルア−本体１に伝達される。
したがって、ルア−をゆっくり引くと揺動板２はゆっくり揺動し、早く引くと揺動板２は早く揺動するが、揺動板２はルアー本体１に揺動自在に取り付けたためルアー本体１に伝達される振動が緩和されるためルア−本体１は早く引いたときでもリップが固定されたルア−に比べゆっくり揺動して泳動し魚を脅かすことが防止され、泳動状態の制御が容易にできるため釣果を高めることが出来る。
また、揺動板２がルア−本体１より大きく揺動すると魚等がエサ（小魚）をくわえて逃げる様子に似せることができより魚の気を引くことができる。
【００１４】
前記のようにルア−が構成されると、ルア−本体１の前方側１ａの上方に揺動板２をルア−本体１に取り付けたリング状の揺動板取り付け部３で揺動自在に取り付けられたので、揺動板２の動きでルア−本体１が泳動するようになり、早く引いてもルア−本体１がゆっくり泳動し、魚を脅かすことが防止され、魚を誘う効果が大きくなる。
【産業上の利用可能性】
【００１５】
本発明はルア−の全般に利用できる。
【図面の簡単な説明】
【００１６】
【図１】揺動板が断面で示されたルア−の側面図と一部拡大側面図である。
【図２】頭部が断面で示されたルア−の断面正面面である。
【図３】揺動板に連動したルア−本体の動きを示す要部拡大平面図である。
【符号の説明】
【００１７】
１  ルア−本体
１ａ  前方側
２  揺動板
Ａ  規制体
ｂ  抵抗面
ｃ  釣り糸連結部
【図１】
2008167692.tif 000003
【図２】
2008167692.tif 000004
【図３】
2008167692.tif 000005